(57)【要約】【課題】縦開き開閉扉のハンドルの構造を工夫し、健常者だけでなく高齢者及び身体障害者にも、容易で安全に扉の開閉ができる加熱調理器を得る事。【解決手段】加熱調理器１の前面に設けられ、床面に対して垂直に開閉する開閉扉２の側面上部に、開閉扉２の側面に対して垂直な軸の回りに回転自在な回転ハンドル７を備えた加熱調理器。【選択図】図１
2007032929.tif 000002
【特許請求の範囲】
【請求項１】
加熱調理器の前面に開閉自在に取り付けられ上下方向に開閉する食品を出し入れするための開閉扉と、前記開閉扉を開閉するために使用者が掴む回転ハンドルを備え、前記回転ハンドルは前記開閉扉の側面から突出した構造物で構成され、かつ、前記回転ハンドルは前記開閉扉の側面に垂直な軸に対して自由に回転可動する構成とした加熱調理器。
【請求項２】
回転ハンドルは前記開閉扉の左右両側面に構成した請求項１に記載の加熱調理器。
【請求項３】
回転ハンドルは樹脂成形品で構成した請求項１または２記載の加熱調理器。
【請求項４】
回転ハンドルは回転軸を中心とした円柱形状からなる請求項１〜３のいずれか１項に記載の加熱調理器。
【発明の詳細な説明】
【技術分野】
【０００１】
本発明は、加熱調理器の開閉扉のハンドルに関するものである。
【背景技術】
【０００２】
オーブン電子レンジ等の加熱調理器は、近年生活上の不可欠な機器になっている。また、１日の使用頻度は多く、扉の開閉も１日数十回以上になる事も珍しくない。この扉の開け閉めを容易にする事は使用者にとって大きなメリットである。また、健常者にとって容易な扉の開け閉めも高齢者・身体障害者にとっては必ずしも楽ではなく、少しでも容易に開け閉めのできる扉の開発が待ち望まれている。
【０００３】
従来、オーブン電子レンジ等の加熱調理器は、上下方向に開閉するいわゆる縦開き扉では、開閉ハンドルを開閉扉前面の上部に取り付ける構造が多い。図６に示す従来例では、グリップハンドル１３が開閉扉１４の前面上部に床面に対して平行に取り付けられている。
【０００４】
使用者が開閉扉１４を開ける場合は、グリップハンドル１３の握り部を掴み、手前に引きながら開閉扉１４の回転運動に沿って下に押し下げる。床面とほぼ平行になったところでストッパーが働きそれ以上下がらなくなり、開閉扉１４の重みでこの状態で安定状態となる。使用者は開閉扉１４の開け初めから最下端に安定状態になるまでグリップハンドル１３の握り部を保持していなければならない、手を離すと開閉扉１４は自重で落下し機器に衝撃が加わるからである。そのため、使用者はグリップハンドル１３を握った手首の関節を開閉扉１４の開閉角度に応じて曲げていく必要がある。また、関節の曲げだけで開閉扉１４の回転についていけない場合はグリップハンドル１３の握りを滑らしたり,握り直したりする必要が有る。このように開閉扉１４の開閉には複雑な動作が必要であり、急いでいる場合や雑に扱うと、スムーズに開閉できない場合があった。また、ヒーター付の加熱調理器では扉ガラス窓１５の表面が高温になっている場合があり、手や指がガラス面に当たらないように注意が必要であった。従って、特に手首の関節が曲がりにくいような高齢者や身体障害者にとっては使い勝手が必ずしもよいものとはなっていなかった。
【０００５】
上記の不具合点を軽減する試みもなされている。例えば、特許文献１に示されているように、ハンドルを扉の開閉に応じて回転させたり、ハンドルの握り面を回転自在にし、使用者が手のひらを大きく滑らさなくても扉の開閉が可能な構造にしている。しかし、不具合面は軽減しているが無くなった訳ではなく、いぜん大きな問題であり、高齢者・身体障害者にとってはさらに改善が望まれる。
【特許文献１】特開２００４−１３８３５１号公報
【発明の開示】
【発明が解決しようとする課題】
【０００６】
前記、従来周知の加熱調理器の問題点に鑑み、本発明が解決しようとする課題は、使用者が容易でかつ安全に扉を開閉できる加熱調理器を提供する事である。上下に開くいわゆる縦開き扉において、健常者だけでなく高齢者や身体障害者にとっても容易に安全に扉開閉ができる使い易い加熱調理器を実現することを目的とする。
【課題を解決するための手段】
【０００７】
前記従来の課題を解決するために、本発明の加熱調理器は、加熱調理器の前面に開閉自在に取り付けられ上下方向に開閉する食品を出し入れするための開閉扉と、前記開閉扉を開閉するために使用者が掴む回転ハンドルを備え、前記回転ハンドルは前記開閉扉の側面
から突出した構造物で構成され、かつ、前記回転ハンドルは前記開閉扉の側面に垂直な軸に対して自由に回転可動する構成としている。さらに、前記回転ハンドルは前記開閉扉の左右両側面に構成され、樹脂材料を成形した円柱形状からなる。
【発明の効果】
【０００８】
本発明の加熱調理器は、この構成により、使用者にとって開閉扉の開け閉めが容易で安全な加熱調理器を提供できる。縦開き扉において、扉開閉時に回転ハンドルを掴む使用者の手首の関節の動きをなくし、容易に扉の開閉動作ができる。また、オーブン調理時には回転ハンドル自体が高温にならず、かつ、高温になる扉ガラス窓に手や指の各部が当たることが無いため扉開閉時に従来の様にような注意の必要がない加熱調理器となる。健常者だけでなく高齢者や身体障害者にとっても使い勝手のよい加熱調理器を提供する事ができる。
【発明を実施するための最良の形態】
【０００９】
第１の発明は、加熱調理器の前面に開閉自在に取り付けられ上下方向に開閉する食品を出し入れするための開閉扉と、前記開閉扉を開閉するために使用者が掴む回転ハンドルを備え、前記回転ハンドルは前記開閉扉の側面から突出した構造物から構成され、しかも、前記回転ハンドルを前記開閉扉の側面に垂直な軸に対して自由に回転可動できる構成としたため、使用者は扉のハンドルを握った手首の関節を動かすことなく扉の開閉ができる。
【００１０】
第２の発明は、回転ハンドルを前記開閉扉の左右両側面に構成したもので、左右どちらの手でも扉の開閉が可能となり便利である。
【００１１】
第３の発明は、回転ハンドルを樹脂成形品で構成したもので、金属に比べ樹脂材料は熱伝導率が低いためヒーター調理後でも回転ハンドルは高温にならず握りやすく安全である。
【００１２】
第４の発明は、回転ハンドルを前記開閉扉の側面に垂直な回転軸を中心とした円柱形状としたため、使用者が握りやすく、扉の開閉が容易である。
【００１３】
以下、本発明の実施の形態について、図面を参照しながら説明する。なお、以下の実施の形態によって本発明が限定されるものではない。
【００１４】
（実施の形態１）
図１は本発明にかかる加熱調理器の開閉扉を閉めた状態を示す正面図である。加熱調理器は調理器の本体１、本体１の前面に設けられ上下に開閉する開閉扉２、開閉扉２に設けた扉ガラス窓３、開閉扉２の下部に設けた操作パネル４、表示器５、開閉扉２の前面上部に設けたグリップハンドル６、及び開閉扉２の左右側面上部に設けた回転ハンドル７からなる。回転ハンドル７は開閉扉２の左右両側面に１個づつ設けられているが構造及び取り付け位置は開閉扉２の中心に対して左右対称である。
【００１５】
図２は同加熱調理器の開閉扉２を開けた状態を示す正面図である。グリップハンドル６は開閉扉２の下に隠れ、使用者が掴みにくい位置にある。それに対して回転ハンドル７は開閉扉２を開けた状態でも使用者が容易に掴める位置にあることが分かる。
【００１６】
図３は回転ハンドル７の取り付け構造を示す要部断面図である。開閉扉２の中には電波の漏れを止めるチョーク構造８が構成されている。チョーク構造８はカバー９で安全のために使用者が触れないように隠されている。回転ハンドル７は開閉扉２の側面に取り付けねじ１０により取り付けられる。開閉扉２と取り付けねじ１０の間にはスプリング１２が挿入されており、常に回転ハンドル７が開閉扉２に軽く押しつけられている。この構成に
より回転ハンドル７は軸１１を中心として開閉扉２に対して自由に回転できる。回転ハンドル７は使用者が握りやすいように軸１１を中心とした角を落とした円柱形状をしている。また回転ハンドル７は熱を金属より伝えにくい樹脂成形品からなる。
【００１７】
次に、本実施の形態の作用を説明する。図４は開閉扉２が閉じた状態で使用者の右手Ａが開閉扉２の右側面に設けられた回転ハンドル７を掴んだ状態を示す。図４では回転ハンドル７と使用者の右手Ａは離れているが、図を見やすくするためで使用者の右手Ａは回転ハンドル７を掴んでいる状態を示す。使用者は開閉扉２を開くために回転ハンドル７を握った右手Ａを手前に水平に引く。さらに引っ張ると、開閉扉２の開き角度に応じて回転ハンドル７は下がっていく。握った右手Ａも下がっていくが回転ハンドル７が回転するため、ひじを曲げていくだけで手首の関節を動かしたり、握った位置を滑らしたり、握りなおすことなく開きつづける事ができる。また、回転ハンドル７は開閉扉２の側面にあるため握る時及び開閉途中に右手Ａが他の構造物に当たる事は無く安全である。
【００１８】
図５は開閉扉２が開ききった状態を示す。同じように図５では回転ハンドル７と使用者の右手Ａは離れているが右手Ａが回転ハンドル７を握った状態を示す。開閉扉２が開ききった状態でも回転ハンドル７が回転するため、使用者の右手Ａは開き初め（図４に示す状態）と同じ手首の角度で回転ハンドル７を掴んでいる。開閉扉２を閉める場合も同じで、回転ハンドル７を掴んだ右手Ａは手首の関節の角度を変えることなく開閉扉２を閉めることができる。
【００１９】
上記の説明は開閉扉２の右側面に構成された右の回転ハンドル７を使用者の右手Ａで操作する場合を述べたが、開閉扉２の左側面に構成された左の回転ハンドル（図示無し）を使用者の左手（図示無し）で操作する場合も作用効果は同じである。
【００２０】
図１および図２で回転ハンドル７は開閉扉２の左右両側面に構成しているが,使用者は左右どちらの手でも扉開閉が可能なので便利である。
【００２１】
また、回転ハンドル７は開閉扉２の側面に構成されているため、使用者が回転ハンドル７を握ろうとする場合、扉ガラス窓３に触れる危険性はない。従って、オーブン調理後など扉ガラス窓３が高温になっている場合でも、従来のように扉ガラス窓３に触れないように注意する必要はない。
【００２２】
さらに、回転ハンドル７は樹脂成形品で熱伝導率が低く加熱調理器の熱が伝わりにくく握ったときも低温で使いやすく安全である。しかも回転ハンドル７は角を落とした円柱形状をしており握りやすい。
【００２３】
この構成により、扉開閉時に使用者の手首の関節の動きがなくなり、容易に安全に扉の開閉ができる、また、高温になる扉ガラス面にも手や指の各部が当たらない安全な加熱調理器となる。健常者だけでなく高齢者や身体障害者にとっても安全で使い易い調理器を提供する事ができる。
【産業上の利用可能性】
【００２４】
以上のように本発明によれば、手首の関節を動かすことなく扉の開閉が可能になるため縦開き扉を有する他の機器にも広く応用が可能である、また、扉の開閉時に扉前面に手の各部が当たる危険性が無いため、扉の前面が高温になる機器全般においても安全な扉の開閉が可能である。
【図面の簡単な説明】
【００２５】
【図１】本発明の実施の形態１における加熱調理器の開閉扉を閉めた状態を示す外観図
【図２】同加熱調理器の開閉扉を開けた状態を示す外観図
【図３】同加熱調理器の回転ハンドル部の詳細を示す要部断面図
【図４】同加熱調理器の扉を開ける動作の開始状態を示す部分外観図
【図５】同加熱調理器の扉を開ける動作の終了状態を示す部分外観図
【図６】従来の加熱調理器の外観図
【符号の説明】
【００２６】
１  加熱調理器
２  開閉扉
３  扉ガラス窓
７  回転ハンドル
【図１】
2007032929.tif 000003
【図２】
2007032929.tif 000004
【図３】
2007032929.tif 000005
【図４】
2007032929.tif 000006
【図５】
2007032929.tif 000007
【図６】
2007032929.tif 000008